(57)【要約】【課題】カバー部材のサイズが大きく、回動可能な形状であっても、カバー部材を開いた際に操作性を損なわないことを可能にしたカバー部材を提供すること。【解決手段】電子機器に備えられる複数の外部接続端子（１０４ａ）、（１０４ｂ）を覆うカバー部材（１０２ａ）であって、前記カバー部材（１０２ａ）の長手方向に対し垂直であり、前記外部接続端子（１０４ａ）、（１０４ｂ）間に屈曲部（１０８ｂ）が配置され、前記カバー部材（１０２ａ）は前記屈曲部（１０８ｂ）で折り曲げた状態を保持可能とすることを特徴とする。【選択図】図５
2017004625.tif 000002
【特許請求の範囲】
【請求項１】
電子機器に備えられる複数の外部接続端子（１０４ａ）、（１０４ｂ）を覆うカバー部材（１０２ａ）であって、
前記カバー部材（１０２ａ）の長手方向に対し垂直であり、前記外部接続端子（１０４ａ）、（１０４ｂ）間に屈曲部（１０８ｂ）が配置され、
前記カバー部材（１０２ａ）は前記屈曲部（１０８ｂ）で折り曲げた状態を保持可能とすることを特徴とするカバー部材。
【請求項２】
前記保持構成は前記カバー部材（１０２ａ）に閉形状の第一のリブ（１０５ａ）と第二のリブ（１０５ｃ）があり、
前記第一のリブ（１０５ａ）の中心１２２ａと前記第二のリブ（１０５ｃ）の中心１２２ｂは前記屈曲部（１０８ｂ）を挟み対称の位置に配置され、
更に前記第二のリブ（１０５ｃ）の内側に第三のリブ（１０５ｄ）を有し、
前記屈曲部（１０８ｂ）で前記カバー部材（１０２ａ）を折り曲げた際、前記第二のリブ（１０５ｄ）と前記第三のリブ（１０５ｄ）の間に前記第一のリブ（１０５ａ）が圧入されることを特徴とする請求項１に記載のカバー保持構成。
【発明の詳細な説明】
【技術分野】
【０００１】
本発明は、デジタルカメラ等の電子機器の外部接続端子を保護するカバー部材に関する。
【背景技術】
【０００２】
電子機器においてＨＤＭＩ（登録商標）端子やマイク端子等の外部接続端子を備えているものは、普段使用しない時は外部接続端子を保護するカバー部材を設けている。特許文献１には、カバー部材において回転ヒンジを持ち、カバー部材を開閉しやすいように屈曲部に溝が設けられている構成が開示されている。また前記特許文献に開示された従来技術を用いたデジタルカメラの製品が存在している。
【０００３】
図７に従来例のデジタルカメラを示す。図７（ａ）はデジタルカメラの側面図である。図７（ａ）において、５０１はデジタルカメラ本体、５０２ａ、５０２ｂはカバー部材、５０３は外装部材である。図７（ａ）において、右側を撮影者側、左側を被写体側とする。
【０００４】
図７（ｂ）はカバー部材５０２ａ、５０２ｂを開いた状態の側面図である。図７（ｂ）において、５０４ａはＨＤＭＩ（登録商標）端子、５０４ｂはＵＳＢ端子、５０４ｃはマイク端子、５０４ｄはシンクロ端子、５０４ｅはリモコン端子である。デジタルカメラ本体５０１に複数の外部接続端子５０４ａ〜５０４ｅを備える場合、外部接続端子５０４ａ〜５０４ｅを５１８、５１９のように縦２列以上に配置になる。
【先行技術文献】
【特許文献】
【０００５】
【特許文献１】特開２０１２−６４３６３号公報
【発明の概要】
【発明が解決しようとする課題】
【０００６】
しかしながら、上述の特許文献１に開示された従来技術を用いたデジタルカメラの製品では、カバー部材を開いて回転ヒンジで回転させると、操作性を損なうという問題がある。
【０００７】
撮影者の使用状態として、図８（ａ）〜（ｃ）が考えられる。図８（ａ）ではカバー部材５０２ａを撮影者側に開いた状態、図８（ｂ）ではカバー部材５０２ａを天面側に開いた状態、図８（ｃ）ではカバー部材５０２ａを被写体側に開いた状態を示す。カバー部材５０２ａにおいて下記のような問題がある。
【０００８】
図８（ａ）において、５０４ａ、５０４ｂは外部接続端子、５２０はファインダーである。カバー部材５０２ａが外装部材５０３の背面よりも撮影者側に飛び出すため、ファインダー５２０撮影時に顔にカバー部材５０２ａが接触したり、デジタルカメラ背面の外部接続端子側にあるボタン５２１の操作性を損なう。 
【０００９】
図８（ｂ）において、５１７はダイヤル操作部材である。カバー部材５０２ａを天面側に開いた場合、カバー部材５０２ａがダイヤル操作部材５１７よりも天面側に飛び出すため、ダイヤル操作部材５１７の操作性を損なう。図８（ｃ）では被写体側にカバー部材５０２ｂがあるため、カバー部材５０２ｂの開閉・回動操作を損なう。
【００１０】
そこで、本発明の目的は、複数の外部接続端子を保護する大型のカバー部材で、回動可能な構成であっても、カバー部材を開いた際に電子機器の操作性を損なわないことを可能にしたカバー部材を提供することにある。
【課題を解決するための手段】
【００１１】
上記の目的を達成するために、本発明は、回転ヒンジ（１０７）で回動可能であるカバー部材（１０２）を備えた電子機器（１０１）において、カバー部材（１０２ａ）を開いた状態でも操作性を損なわないように、カバー部材（１０２ａ）を折り曲げた状態で保持可能とすることを特徴とする。
【発明の効果】
【００１２】
本発明によれば、外部接続端子を保護するカバー部材を折り曲げた状態で保持することで、カバー部材を開いた際に電子機器の操作性を損なわないカバー部材を提供することができる。
【図面の簡単な説明】
【００１３】
【図１】本発明の第１の実施例となるデジタルカメラの斜視図
【図２】本発明の第１の実施例となる外部接続端子を覆うカバー部材の側面図
【図３】本発明の第１の実施例となる外部接続端子カバー部材の斜視図
【図４】本発明の第１の実施例となる外部接続端子カバー部材が閉じられた状態の断面図
【図５】本発明の第１の実施例となる外部接続端子カバー部材を折り曲げた状態のデジタルカメラの斜視図
【図６】本発明の第１の実施例となる外部接続端子カバー部材を折り曲げた状態の断面図
【図７】従来例となるデジタルカメラの側面図
【図８】従来例となるデジタルカメラのカバー部材を開いた状態の側面図
【発明を実施するための形態】
【００１４】
［実施例１］
以下に、本発明の好ましい実施の形態を、添付の図面に基づいて詳細に説明する。図１は本発明の第１の実施例に関わるデジタルカメラの斜視図である。１０１はデジタルカメラ本体、１０２ａはカバー部材、１０３は外装部材である。図２に、カバー部材１０２ａを開いた状態を示す。図２において、１０４ａ、１０４ｂは外部接続端子であり、外装部材１０３には外部接続端子１０４ａ、１０４ｂの外側にリブ１０６ａ、１０６ｂがあり、リブ１０６ａ、１０６ｂは閉形状である。
【００１５】
図３に、カバー部材１０２ａの内側（ａ）と外側（ｂ）の詳細図を示す。１０７はヒンジ部、１０５ａ〜１０５ｄはリブ、１０８ａ、１０８ｂは屈曲部、１０９ａ〜１０９ｃは溝である。リブ１０５ａ〜１０５ｄは閉形状であり、リブ１０５ｂはリブ１０５ａの内側に配置され、リブ１０５ｄはリブ１０５ｃの内側に配置される。カバー部材１０２ａの開閉時にはヒンジ部１０７を外観側に引き出された状態で、外装部材１０３の平面に対して垂直方向に回転させると、任意の位置に停止させることが可能である。ヒンジ部１０７とリブ１０５ａの間に第一の屈曲部１０８ａがあり、溝１０９ａが配置されている。
【００１６】
また、リブ１０５ａとリブ１０５ｃの間に第二の屈曲部１０８ｂがあり、溝１０９ｂ、１０９ｃが配置されている。リブ１０５ａの中心１２２ａは第二の屈曲部１０８ｂを挟み、リブ１０５ｃの中心１２２ｂと対称の位置に配置されている。第一の屈曲部１０８ａにはカバー部材１０２ａを引き出す際、図３（ｂ）に記載の矢印Ｐの方向にカバー部材１０２ａを曲げやすいよう、カバー部材１０２ａの外観側に溝１０９ａが設けられている。
【００１７】
図４はカバー部材１０２が外装部材１０３に閉じられた状態の断面図を表す。カバー部材１０２ａのリブ１０５ａ、１０５ｂの間に外装部材１０３のリブ１０６ａが圧入され、カバー部材１０２ａのリブ１０５ｃ、１０５ｄの間に外装部材１０３のリブ１０６ｂが圧入される。このように閉じられることで、外部端子１０４ａ、１０４ｂは、リブの圧入により封止され、防滴防塵構造となっている。
【００１８】
図５はカバー部材１０２ａを折り曲げた状態のデジタルカメラの斜視図、図６はカバー部材１０２ａを折り曲げた状態の断面図である。第二の屈曲部１０８ｂの位置には、カバー部材１０２ａの内側に溝１０９ｂ、１０９ｃが設けられており、溝１０９ｂ、１０９ｃがあることにより、カバー部材１０２ａを第二の屈曲部１０８ｂで内側に１８０°折り曲げやすくなる。第二の屈曲部１０８ｂでカバー部材１０２ａを内側に１８０°折り曲げた際、リブ１０５ｃとリブ１０５ｄの間にリブ１０５ａが圧入され、カバー部材１０２ａが折り曲げられた状態を保持できる。
【００１９】
このことより、カバー部材１０２ａを開いた状態で、カバー部材１０２ａのサイズを小さくすることができ、カバー部材１０２ａを開いた状態でも撮影の妨げにならず、操作性を損なわないことができる。
【００２０】
以上、本発明の好ましい実施形態について説明したが、本発明はこれらの実施形態に限定されず、その要旨の範囲内で種々の変形及び変更が可能である。
【符号の説明】
【００２１】
１０１  デジタルカメラ本体、１０２  はカバー部材、１０３  外装部材
【図１】
2017004625.tif 000003
【図２】
2017004625.tif 000004
【図３】
2017004625.tif 000005
【図４】
2017004625.tif 000006
【図５】
2017004625.tif 000007
【図６】
2017004625.tif 000008
【図７】
2017004625.tif 000009
【図８】
2017004625.tif 000010